(57)【要約】【課題】印刷物の印刷者を特定する。【解決手段】ＤＮＡインク印刷モードが選択され（Ｓ１０２：ＹＥＳ）たとき、ＤＮＡインクカートリッジが装着され（Ｓ１０３：ＹＥＳ）、且つそのＤＮＡインクカートリッジがインク切れでない場合に（Ｓ１０４：ＮＯ）、ＤＮＡインクカートリッジのＩＣタグからシリアル番号及びＤＮＡのパターンデータを読み取る（Ｓ１０６）とともに、印刷者の指紋のパターンデータを読み取る（Ｓ１０７）。読み取ったシリアル番号に対応するエンドフラグが立っていない場合に（Ｓ２０２：ＮＯ）、読み取ったＤＮＡのパターンデータ及び指紋のパターンデータを、データ記憶部のＤＮＡのパターンデータ及び指紋のパターンデータに照合し、個人認証がされた場合に（Ｓ２０３：ＹＥＳ）、記録用紙に、ＤＮＡインクを吐出した（Ｓ１０８）後、画像形成用インクにより画像の印刷を行う（Ｓ１０９）。【選択図】図６
2008165579.tif 000002
【特許請求の範囲】
【請求項１】
自身の属性を示すことのできる識別用インクが充填された識別用インクカートリッジが装着されるカートリッジ装着部と、
カートリッジ装着部に装着された前記識別用インクカートリッジから供給される前記識別用インクを被記録媒体に吐出する識別用インク吐出手段と、
前記カートリッジ装着部に装着された前記識別用インクカートリッジ又はその識別用インクカートリッジに充填された前記識別用インクから、その識別用インクの属性を示す属性情報を取得する属性情報取得手段と、
印刷者から、その印刷者を特定するための印刷者特定情報を取得する印刷者特定情報取得手段と、
前記属性情報取得手段によって取得された前記属性情報、及び、前記印刷者特定情報取得手段によって取得された前記印刷者特定情報に基づいて、前記識別用インクを用いて印刷を行ってもよいか否かを判断する判断手段と、
その判断手段が、前記識別用インクを用いる印刷を否定する判断をしたときに、前記識別用インク吐出手段に前記識別用インクを吐出させることを禁止する禁止手段とを有することを特徴とする画像形成システム。
【請求項２】
互いに対応する前記属性情報と前記印刷者特定情報とを関連付けて記憶する第１記憶手段をさらに有し、
前記判断手段が、前記属性情報取得手段によって取得された前記識別用インクの前記属性情報、及び、前記印刷者特定情報取得手段によって取得された前記印刷者特定情報と、前記第１記憶手段に記憶された前記属性情報及び前記印刷者特定情報とを照合して、前記識別用インクを用いて印刷を行ってもよいか否かを判断することを特徴とする請求項１に記載の画像形成システム。
【請求項３】
前記属性情報が、その属性情報が示す前記識別用インクを用いて印刷を行うことが許可された前記印刷者の前記印刷者特定情報に一致するように割り当てられており、
前記判断手段が、前記属性情報取得手段によって取得された前記属性情報と、前記印刷者特定情報とが一致する場合にのみ、前記識別用インクを用いて印刷を行ってもよいと判断することを特徴とする請求項１に記載の画像形成システム。
【請求項４】
前記識別用インクカートリッジは、充填された前記識別用インクに対応する前記属性情報を保持する属性情報保持手段を有しており、
前記属性情報取得手段が、前記属性情報保持手段から前記属性情報を取得することを特徴とする請求項１〜３のいずれかに記載の画像形成システム。
【請求項５】
前記属性情報取得手段が、前記カートリッジ装着部に装着された前記識別用インクカートリッジに充填された前記識別用インクを分析することにより、前記インク識別情報を取得することを特徴とする請求項１又は２に記載の画像形成システム。
【請求項６】
前記識別用インクカートリッジが印刷者に関係なく使用が禁止されたものであるかを示す使用禁止情報を記憶する第２記憶手段をさらに有し、
前記判断手段は、前記第２記憶手段に記憶された前記使用禁止情報に基づいて、前記識別用インクを用いて印刷を行ってもよいか否かを判断することを特徴とする請求項１〜５のいずれか１項に記載の画像形成システム。
【請求項７】
前記識別用インクカートリッジは、前記識別用インクカートリッジの各々に固有に割り当てられたカートリッジＩＤ情報を保持するカートリッジＩＤ情報保持手段を有しており、
前記カートリッジ装着部に装着された前記識別用インクカートリッジの前記カートリッジＩＤ情報保持手段から前記カートリッジＩＤ情報を取得するカートリッジＩＤ情報取得手段をさらに有し、
前記第２記憶手段に記憶された前記使用禁止情報は、使用禁止とされた前記識別用インクカートリッジの前記カートリッジＩＤが何であるかを示す情報であり、
前記判断手段が、前記カートリッジＩＤ情報取得手段によって取得された前記カートリッジＩＤ情報が、前記第２記憶手段に記憶された取得手段によって示される前記カートリッジＩＤ情報のうちのいずれかに一致するときに、前記識別用インクを用いて印刷を行ってはいけないと判断することを特徴とする請求項６に記載の画像形成システム。
【請求項８】
前記識別用インクカートリッジは、前記識別用インクカートリッジの各々に固有に割り当てられたカートリッジＩＤ情報を保持するカートリッジＩＤ情報保持手段を有しており、
前記カートリッジ装着部に装着された前記識別用インクカートリッジの前記カートリッジＩＤ情報保持手段から前記カートリッジＩＤ情報を取得するカートリッジＩＤ情報取得手段をさらに有し、
前記第２記憶手段に記憶された前記使用禁止情報は、使用が許可された前記識別用インクカートリッジの前記カートリッジＩＤ情報が何であるかを示す情報であり、
前記判断手段が、前記カートリッジＩＤ情報取得手段によって取得された前記カートリッジＩＤ情報が、前記第２記憶手段に記憶された取得手段によって示される前記カートリッジＩＤ情報のうちのいずれかに一致するときにのみ、前記識別用インクを用いて印刷を行ってもよいと判断することを特徴とする請求項６に記載の画像形成システム。
【請求項９】
前記カートリッジ装着部に装着された前記識別用インクカートリッジのインク切れを検知するインク切れ検知手段と、
前記インク切れ検知手段によりインク切れが検知されたときに、前記第２記憶手段に記憶された前記使用禁止情報を、前記カートリッジ装着部に装着された前記識別用インクカートリッジが、前記印刷者に関係なく使用が禁止されたものであることを示すものに更新する更新手段をさらに有することを特徴とする請求項６〜８のいずれか１項に記載の画像形成システム。
【請求項１０】
前記識別用インクカートリッジが、その識別用インクカートリッジが印刷者に関係なく使用が禁止されたものであるか否かを示す使用禁止情報を保持する使用禁止情報保持手段を有しており、
前記カートリッジ装着部に装着された前記識別用インクカートリッジの前記使用禁止情報保持手段から前記使用禁止情報を取得する使用禁止情報取得手段をさらに備え、
前記判断手段は、前記使用禁止情報取得手段によって取得された前記使用禁止情報に基づいて、前記識別用インクを用いて印刷を行ってもよいか否かを判断することを特徴とする請求項１〜５のいずれかに記載の画像形成システム。
【請求項１１】
前記カートリッジ装着部に装着された前記識別用インクカートリッジのインク切れを検知するインク切れ検知手段と、
前記インク切れ検知手段によってインク切れが検知されたときに、前記カートリッジ装着部に装着された前記識別用インクカートリッジの前記使用禁止情報保持手段に保持された前記使用禁止情報を、前記印刷者に関係なく使用が禁止されたものであることを示すものに変更する情報変更手段とをさらに備えていることを特徴とする請求項１０に記載の画像形成システム。
【請求項１２】
被記録媒体に、前記識別用インクとは異なる、画像を形成するための画像形成用インクを吐出する画像形成用インク吐出手段をさらに有しており、
前記識別用インクを用いて印刷を行う際に、前記識別用インク吐出手段により被記録媒体の一部分に前記識別用インクを吐出するとともに、前記画像形成用インク吐出手段により被記録媒体に前記画像形成用インクを吐出することを特徴とする請求項１〜１１のいずれかに記載の画像形成システム。
【請求項１３】
前記識別用インクが無色であることを特徴とする請求項１２に記載の画像形成システム。
【請求項１４】
前記カートリッジ装着部に前記識別用インクカートリッジが装着されていないときに、前記画像形成用インク吐出手段のみからインクを吐出して印刷を行うことを特徴とする請求項１２又は１３に記載の画像形成システム。
【請求項１５】
前記印刷者が、前記識別用インクを用いて印刷を行う識別用インク印刷モード、及び、前記画像形成用インクのみを用いて印刷を行う通常印刷モードの何れかを選択する選択手段をさらに有し、
前記判断手段が前記識別用インクを用いて印刷を行ってもよいと判断し、且つ、前記選択手段において、前記印刷者が前記識別用インク印刷モードを選択した場合には、前記識別用インク吐出手段から前記識別用インクを吐出するとともに、前記画像形成用インク吐出手段から前記画像形成用インクを吐出して印刷を行い、
前記選択手段において、前記印刷者が前記通常印刷モードを選択した場合には、前記画像形成用インク吐出手段のみからインクを吐出して印刷を行うことを特徴とする請求項１２又は１３に記載の画像形成システム。
【請求項１６】
判断装置と通信可能に接続される画像形成装置であって、
自身の属性を示すことのできる識別用インクが充填された識別用インクカートリッジが装着されるカートリッジ装着部と、
カートリッジ装着部に装着された前記識別用インクカートリッジから供給される前記識別用インクを被記録媒体に吐出する識別用インク吐出手段と、
前記カートリッジ装着部に装着された前記識別用インクカートリッジ又はその識別用インクカートリッジに充填された前記識別用インクから、その識別用インクの属性を示す属性情報を取得する属性情報取得手段と、
印刷者から、その印刷者を特定するための印刷者特定情報を取得する印刷者特定情報取得手段と、
前記印刷者特定情報と前記属性情報を前記判断装置に送信するとともに、前記判断装置において前記印刷者特定情報と前記属性情報とに基づいて判断される、前記識別用インクを用いて印刷を行ってもよいか否かについての判断結果を受信する送受信手段と、
前記送受信手段で受信した判断結果が、前記識別用インクを用いる印刷を否定する判断であるときに、前記識別用インク吐出手段に前記識別用インクを吐出させることを禁止する禁止手段と、
を有することを特徴とする画像形成装置。
【請求項１７】
自身の属性を示すことのできる識別用インクが充填された識別用インクカートリッジが装着されるカートリッジ装着部と、
カートリッジ装着部に装着された前記識別用インクカートリッジから供給される前記識別用インクを被記録媒体に吐出する識別用インク吐出手段と、
前記カートリッジ装着部に装着された前記識別用インクカートリッジ又はその識別用インクカートリッジに充填された前記識別用インクから、その識別用インクの属性を示す属性情報を取得する属性情報取得手段と、
印刷者から、その印刷者を特定するための印刷者特定情報を取得する印刷者特定情報取得手段と、
前記属性情報取得手段によって取得された前記属性情報、及び、前記印刷者特定情報取得手段によって取得された前記印刷者特定情報に基づいて、前記識別用インクを用いて印刷を行ってもよいか否かを判断する判断手段と、
その判断手段が、前記識別用インクを用いる印刷を否定する判断をしたときに、前記識別用インク吐出手段に前記識別用インクを吐出させることを禁止する禁止手段とを有することを特徴とする画像形成装置。
【請求項１８】
自身の属性を示すことのできる識別用インクが充填された識別用インクカートリッジが装着されるカートリッジ装着部と、
カートリッジ装着部に装着された前記識別用インクカートリッジから供給される前記識別用インクを被記録媒体に吐出する識別用インク吐出手段と、
前記カートリッジ装着部に装着された前記識別用インクカートリッジ又はその識別用インクカートリッジに充填された前記識別用インクから、その識別用インクの属性を示す属性情報を取得する属性情報取得手段と、
印刷者から、その印刷者を特定するための印刷者特定情報を取得する印刷者特定情報取得手段とを有する画像形成システムを動作させるプログラムであって、
コンピュータに、
前記属性情報取得手段によって取得された前記属性情報、及び、前記印刷者特定情報取得手段によって取得された前記印刷者特定情報に基づいて、前記識別用インクを用いて印刷を行ってもよいか否かを判断する判断ステップと、
前記判断ステップにおいて、前記識別用インクを用いる印刷を否定する判断をしたときに、前記識別用インク吐出手段に前記識別用インクを吐出させることを禁止する禁止ステップとを実行させることを特徴とするプログラム。
【請求項１９】
判断装置と通信可能に接続され、
自身の属性を示すことのできる識別用インクが充填された識別用インクカートリッジが装着されるカートリッジ装着部と、
カートリッジ装着部に装着された前記識別用インクカートリッジから供給される前記識別用インクを被記録媒体に吐出する識別用インク吐出手段と、
前記カートリッジ装着部に装着された前記識別用インクカートリッジ又はその識別用インクカートリッジに充填された前記識別用インクから、その識別用インクの属性を示す属性情報を取得する属性情報取得手段と、
印刷者から、その印刷者を特定するための印刷者特定情報を取得する印刷者特定情報取得手段とを有する画像形成装置を動作させるプログラムであって、
コンピュータに、
前記属性情報取得手段により取得した前記属性情報、及び、前記印刷者特定情報取得手段により取得した前記印刷者特定情報を前記判断装置に送信する送信ステップと、
前記判断装置において前記印刷者特定情報と前記属性情報とに基づいて判断される、前記識別用インクを用いて印刷を行ってもよいか否かについての判断結果を受信する受信ステップと、
前記受信ステップにおいて受信した判断結果が、前記識別用インクを用いる印刷を否定する判断であるときに、前記識別用インク吐出手段に前記識別用インクを吐出させることを禁止する禁止ステップとを実行させるプログラム。
【請求項２０】
自身の属性を示すことのできる識別用インクが充填された識別用インクカートリッジが装着されるカートリッジ装着部と、
カートリッジ装着部に装着された前記識別用インクカートリッジから供給される前記識別用インクを被記録媒体に吐出する識別用インク吐出手段と、
前記カートリッジ装着部に装着された前記識別用インクカートリッジ又はその識別用インクカートリッジに充填された前記識別用インクから、その識別用インクの属性を示す属性情報を取得する属性情報取得手段と、
印刷者から、その印刷者を特定するための印刷者特定情報を取得する印刷者特定情報取得手段とを有する画像形成装置を動作させるプログラムであって、
コンピュータに、
前記属性情報取得手段により取得された前記属性情報、及び、前記印刷者特定情報取得手段により取得された前記印刷者特定情報に基づいて、前記識別用インクを用いて印刷を行ってもよいか否かを判断する判断ステップと、
前記判断ステップにおいて、前記識別用インクを用いる印刷を否定する判断をしたときに、前記識別用インク吐出手段に前記識別用インクを吐出させることを禁止する禁止ステップとを実行させることを特徴とするプログラム。
【発明の詳細な説明】
【技術分野】
【０００１】
本発明は、被記録媒体に画像の記録を行う画像形成システム及び画像形成装置、並びに、これらを動作させるプログラムに関する。
【背景技術】
【０００２】
記録用紙等の被記録媒体に画像の記録を行う画像形成装置において、被記録媒体にＤＮＡを含むインクのような識別用インクを付着させているものがある。例えば、特許文献１に記載の画像形成装置においては、用紙に現像剤を付着させることによって用紙に画像の印刷を行うとともに、インクスタンプにより、用紙にＤＮＡインクを付着させている。これにより、記録物のＤＮＡインクを採取して解析を行うことによって記録物の真贋などを判断することが可能となる。
【０００３】
【特許文献１】特開２００２−７２７９５号公報
【発明の開示】
【発明が解決しようとする課題】
【０００４】
しかしながら、特許文献１の画像形成装置では、ＤＮＡインクに含まれるＤＮＡに対応する人とは別の人がそのＤＮＡインクを用いて印刷を行うことも可能であるため、記録物にＤＮＡインクが付着していたとしても、その記録物が誰によって印刷されたものであるかを確実に特定することはできない。
【０００５】
本発明の目的は、印刷者を確実に特定することが可能な画像形成システム及び画像形成装置、並びに、これらを動作させるプログラムを提供することである。
【課題を解決するための手段】
【０００６】
本発明の画像形成システムは、自身の属性を示すことのできる識別用インクが充填された識別用インクカートリッジが装着されるカートリッジ装着部と、カートリッジ装着部に装着された識別用インクカートリッジから供給される識別用インクを被記録媒体に吐出する識別用インク吐出手段と、カートリッジ装着部に装着された識別用インクカートリッジ又はその識別用インクカートリッジに充填された識別用インクから、その識別用インクの属性を示す属性情報を取得する属性情報取得手段と、印刷者から、その印刷者を特定するための印刷者特定情報を取得する印刷者特定情報取得手段と、属性情報取得手段によって取得された属性情報、及び、印刷者特定情報取得手段によって取得された印刷者特定情報に基づいて、識別用インクを用いて印刷を行ってもよいか否かを判断する判断手段と、その判断手段が、識別用インクを用いる印刷を否定する判断をしたときに、識別用インク吐出手段に識別用インクを吐出させることを禁止する禁止手段とを有する（請求項１）。
【０００７】
これによると、カートリッジ装着部に装着された識別用インクカートリッジに充填された識別用インクの属性情報、及び、印刷者の印刷者特定情報に基づいて、識別用インクを用いて印刷を行ってもよいか否かが判断されるので、識別用インクを用いて不正に印刷が行われてしまうのを防止することができる。したがって、印刷物に付着した識別用インクに基づいて、印刷物の印刷者を確実に特定することができる。
【０００８】
また、本発明の画像形成システムにおいては、互いに対応する属性情報と印刷者特定情報とを関連付けて記憶する第１記憶手段をさらに有し、判断手段が、属性情報取得手段によって取得された識別用インクの属性情報、及び、印刷者特定情報取得手段によって取得された印刷者特定情報と、第１記憶手段に記憶された属性情報及び印刷者特定情報とを照合して、識別用インクを用いて印刷を行ってもよいか否かを判断することが好ましい（請求項２）。これによると、属性情報取得手段によって取得された属性情報及び印刷者特定情報取得手段によって取得された印刷者特定情報と、第１記憶手段に記憶された属性情報及び印刷者特定情報を照合して、識別用インクを用いて印刷を行ってもよいか否かを判断するので、属性情報と印刷者特定情報とを異なる情報（例えば、ＤＮＡのパターンデータと指紋のパターンデータなど）にすることができ、セキュリティの信頼性が向上する。
【０００９】
また、本発明の画像形成システムにおいては、属性情報が、その属性情報が示す識別用インクを用いて印刷を行うことが許可された印刷者の印刷者特定情報に一致するように割り当てられており、判断手段が、属性情報取得手段によって取得された属性情報と、印刷者特定情報とが一致する場合にのみ、識別用インクを用いて印刷を行ってもよいと判断することが好ましい（請求項３）。これによると、属性情報が、その属性情報が示す識別用インクを使用することが許可された印刷者の印刷者識別情報に一致するように割り当てられているので、同種の情報（例えば、指紋のパターンデータ）である、属性取得手段によって取得された属性情報と、印刷者特定情報取得手段によって取得された印刷者特定情報とを直接照合して、識別用インクを用いて印刷を行ってもよいか否かを判断することができる。したがって、識別用インクを用いて印刷を行ってもよいか否かの判断をすばやく行うことができる。
【００１０】
また、本発明の画像形成システムにおいては、識別用インクカートリッジは、充填された識別用インクに対応する属性情報を保持する属性情報保持手段を有しており、属性情報取得手段が、属性情報保持手段から属性情報を取得することが好ましい（請求項４）。これによると、属性情報取得手段は、属性情報保持手段から属性情報を取得することができるので、属性情報の取得が容易になる。
【００１１】
また、本発明の画像形成システムにおいては、属性情報取得手段が、カートリッジ装着部に装着された識別用インクカートリッジに充填された識別用インクを分析することにより、インク識別情報を取得することが好ましい（請求項５）。これによると、カートリッジ装着部に装着された識別用インクカートリッジに充填された識別用インクを分析してインク識別情報を取得するので、識別用インクカートリッジに別の識別用インクが充填され、印刷者が気づかずにその識別用インクを用いて印刷を行ってしまうなど、不正な識別用インクを用いた印刷が行われるのを防止することができる。
【００１２】
また、本発明の画像形成システムにおいては、識別用インクカートリッジが印刷者に関係なく使用が禁止されたものであるかを示す使用禁止情報を記憶する第２記憶手段をさらに有し、判断手段は、第２記憶手段に記憶された使用禁止情報に基づいて、識別用インクを用いて印刷を行ってもよいか否かを判断することが好ましい（請求項６）。これによると、使用が禁止されている識別用インクカートリッジがカートリッジ装着部に装着されたときには、識別用インクを用いた印刷が行われないため、不正な識別用インクを用いた印刷が行われるのが防止され、セキュリティの信頼性が向上する。なお、請求項６には、１つの記憶手段が第１記憶手段と第２記憶手段とを兼ねており、この記憶手段に互いに対応する属性情報、印刷者特定情報及び使用禁止情報が関連付けられて記憶されているものも含まれる。
【００１３】
このとき、識別用インクカートリッジは、識別用インクカートリッジの各々に固有に割り当てられたカートリッジＩＤ情報を保持するカートリッジＩＤ情報保持手段を有しており、カートリッジ装着部に装着された識別用インクカートリッジのカートリッジＩＤ情報保持手段からカートリッジＩＤ情報を取得するカートリッジＩＤ情報取得手段をさらに有し、第２記憶手段に記憶された使用禁止情報は、使用禁止とされた識別用インクカートリッジのカートリッジＩＤが何であるかを示す情報であり、判断手段が、カートリッジＩＤ情報取得手段によって取得された前記カートリッジＩＤ情報が、第２記憶手段に記憶された取得手段によって示されるカートリッジＩＤ情報のうちのいずれかに一致するときに、識別用インクを用いて印刷を行ってはいけないと判断することが好ましい（請求項７）。これによると、カートリッジ装着部に装着された識別用インクカートリッジのカートリッジＩＤ情報が、第２記憶手段に記憶されている使用禁止とされた識別用インクカートリッジのカートリッジＩＤ情報のいずれかに一致したときには、識別用インクを用いた印刷が行われないため、不正な識別用インクを用いた印刷が行われるのを防止することができる。
【００１４】
又は、このとき、識別用インクカートリッジは、識別用インクカートリッジの各々に固有に割り当てられたカートリッジＩＤ情報を保持するカートリッジＩＤ情報保持手段を有しており、カートリッジ装着部に装着された識別用インクカートリッジのカートリッジＩＤ情報保持手段からカートリッジＩＤ情報を取得するカートリッジＩＤ情報取得手段をさらに有し、第２記憶手段に記憶された使用禁止情報は、使用が許可された識別用インクカートリッジのカートリッジＩＤ情報が何であるかを示す情報であり、判断手段が、カートリッジＩＤ情報取得手段によって取得されたカートリッジＩＤ情報が、第２記憶手段に記憶された取得手段によって示されるカートリッジＩＤ情報のうちのいずれかに一致するときにのみ、識別用インクを用いて印刷を行ってもよいと判断することが好ましい（請求項８）。これによると、カートリッジ装着部に装着された識別用インクカートリッジのカートリッジＩＤ情報が、第２記憶手段に記憶された、使用が許可された識別用インクカートリッジのカートリッジＩＤ情報のいずれかに一致しているときにのみ識別用インクを用いた印刷を行うことが可能となるので、不正な識別用インクを用いた印刷が行われるのを防止することができる。
【００１５】
また、本発明の画像形成システムにおいては、カートリッジ装着部に装着された識別用インクカートリッジのインク切れを検知するインク切れ検知手段と、インク切れ検知手段によりインク切れが検知されたときに、第２記憶手段に記憶された使用禁止情報を、カートリッジ装着部に装着された識別用インクカートリッジが、印刷者に関係なく使用が禁止されたものであることを示すものに更新する更新手段とをさらに有することが好ましい（請求項９）。これによると、一旦インク切れとなった識別用インクカートリッジは使用できなくなるので、悪意の第３者がインク切れとなった識別用インクカートリッジに他の識別用インクを充填することによって、印刷者が他の識別用インクを用いて印刷物を作成してしまうなど、インク切れとなった識別用インクカートリッジが不正に使用されるのを確実に防止することができる。
【００１６】
また、本発明の画像形成システムにおいては、識別用インクカートリッジが、その識別用インクカートリッジが印刷者に関係なく使用が禁止されたものであるか否かを示す使用禁止情報を保持する使用禁止情報保持手段を有しており、カートリッジ装着部に装着された識別用インクカートリッジの使用禁止情報保持手段から使用禁止情報を取得する使用禁止情報取得手段をさらに備え、判断手段は、使用禁止情報取得手段によって取得された使用禁止情報に基づいて、識別用インクを用いて印刷を行ってもよいか否かを判断することが好ましい（請求項１０）。これによると、使用が禁止されている識別用インクカートリッジがカートリッジ装着部に装着されたときには、識別用インクを用いた印刷が行われないため、不正な識別用インクを用いた印刷が行われるのを防止することができる。
【００１７】
また、本発明の画像形成システムにおいては、カートリッジ装着部に装着された識別用インクカートリッジのインク切れを検知するインク切れ検知手段と、インク切れ検知手段によってインク切れが検知されたときに、カートリッジ装着部に装着された識別用インクカートリッジの使用禁止情報保持手段に保持された使用禁止情報を、印刷者に関係なく使用が禁止されたものであることを示すものに変更する情報変更手段とをさらに備えていることが好ましい（請求項１１）。これによると、一旦インク切れとなった識別用インクカートリッジは使用できなくなるので、悪意の第３者がインク切れとなった識別用インクカートリッジに他の識別用インクを充填することによって、印刷者が他の識別用インクを用いて印刷物を作成してしまうなど、インク切れとなった識別用インクカートリッジが不正に使用されるのを確実に防止することができる。
【００１８】
また、本発明の画像形成システムにおいては、被記録媒体に、識別用インクとは異なる、画像を形成するための画像形成用インクを吐出する画像形成用インク吐出手段をさらに有しており、識別用インクを用いて印刷を行う際に、識別用インク吐出手段により被記録媒体の一部分に識別用インクを吐出するとともに、画像形成用インク吐出手段により被記録媒体に画像形成用インクを吐出することが好ましい（請求項１２）。これによると、印刷を行う際に、被記録媒体の一部分にのみ識別用インクを吐出するので、識別用インクの使用量を節約することができる。また、識別用インク以外の色の印刷を行うことができる。
【００１９】
このとき、識別用インクが無色であることが好ましい（請求項１３）。これによると、印刷が行われた被記録媒体を、一見しただけでは、識別用インクが吐出されているか否かを判別することができないものとすることができる。
【００２０】
また、本発明の画像形成システムにおいては、カートリッジ装着部に識別用インクカートリッジが装着されていないときに、画像形成用インク吐出手段のみからインクを吐出して印刷を行うことが好ましい（請求項１４）。これによると、識別用インクカートリッジが装着されていないときには、画像形成用インクのみを用いた印刷を行うことができる。
【００２１】
また、本発明の画像形成システムにおいては、印刷者が、識別用インクを用いて印刷を行う識別用インク印刷モード、及び、画像形成用インクのみを用いて印刷を行う通常印刷モードのいずれかを選択する選択手段をさらに有し、判断手段が識別用インクを用いて印刷を行ってもよいと判断し、且つ、選択手段において、印刷者が前記識別用インク印刷モードを選択した場合には、識別用インク吐出手段から識別用インクを吐出するとともに、画像形成用インク吐出手段から画像形成用インクを吐出して印刷を行い、選択手段において、印刷者が通常印刷モードを選択した場合には、画像形成用インク吐出手段のみからインクを吐出して印刷を行うことが好ましい（請求項１５）。これによると、識別用インクカートリッジが装着されている状態でも、識別用インクを吐出して印刷を行うか否かを選択することができるので、必要なときにのみＤＮＡインクをを用いた印刷を行うことができ、ＤＮＡインクの無駄な消費を抑えることができる。また、同じ印刷者が、識別用インクを用いた印刷と画像形成用インクのみを用いた印刷とを続けて行うときに、その都度識別用インクカートリッジの抜き差しを行う必要がない。
【００２２】
本発明の画像形成装置は、判断装置と通信可能に接続される画像形成装置であって、自身の属性を示すことのできる識別用インクが充填された識別用インクカートリッジが装着されるカートリッジ装着部と、カートリッジ装着部に装着された識別用インクカートリッジから供給される識別用インクを被記録媒体に吐出する識別用インク吐出手段と、カートリッジ装着部に装着された識別用インクカートリッジ又はその識別用インクカートリッジに充填された識別用インクから、その識別用インクの属性を示す属性情報を取得する属性情報取得手段と、印刷者から、その印刷者を特定するための印刷者特定情報を取得する印刷者特定情報取得手段と、印刷者特定情報と属性情報を判断装置に送信するとともに、判断装置において印刷者特定情報と属性情報とに基づいて判断される、識別用インクを用いて印刷を行ってもよいか否かについての判断結果を受信する送受信手段と、送受信手段で受信した判断結果が、識別用インクを用いる印刷を否定する判断であるときに、識別用インク吐出手段に識別用インクを吐出させることを禁止する禁止手段と、を有する（請求項１６）。
【００２３】
本発明の画像形成装置は、自身の属性を示すことのできる識別用インクが充填された識別用インクカートリッジが装着されるカートリッジ装着部と、カートリッジ装着部に装着された識別用インクカートリッジから供給される識別用インクを被記録媒体に吐出する識別用インク吐出手段と、カートリッジ装着部に装着された識別用インクカートリッジ又はその識別用インクカートリッジに充填された識別用インクから、その識別用インクの属性を示す属性情報を取得する属性情報取得手段と、印刷者から、その印刷者を特定するための印刷者特定情報を取得する印刷者特定情報取得手段と、属性情報取得手段によって取得された属性情報、及び、印刷者特定情報取得手段によって取得された印刷者特定情報に基づいて、識別用インクを用いて印刷を行ってもよいか否かを判断する判断手段と、その判断手段が、識別用インクを用いる印刷を否定する判断をしたときに、識別用インク吐出手段に識別用インクを吐出させることを禁止する禁止手段とを有する（請求項１７）。
【００２４】
本発明のプログラムは、自身の属性を示すことのできる識別用インクが充填された識別用インクカートリッジが装着されるカートリッジ装着部と、カートリッジ装着部に装着された識別用インクカートリッジから供給される識別用インクを被記録媒体に吐出する識別用インク吐出手段と、カートリッジ装着部に装着された識別用インクカートリッジ又はその識別用インクカートリッジに充填された識別用インクから、その識別用インクの属性を示す属性情報を取得する属性情報取得手段と、印刷者から、その印刷者を特定するための印刷者特定情報を取得する印刷者特定情報取得手段とを有する画像形成システムを動作させるプログラムである。そして、コンピュータに、属性情報取得手段によって取得された属性情報、及び、印刷者特定情報取得手段によって取得された印刷者特定情報に基づいて、識別用インクを用いて印刷を行ってもよいか否かを判断する判断ステップと、判断ステップにおいて、識別用インクを用いる印刷を否定する判断をしたときに、識別用インク吐出手段に識別用インクを吐出させることを禁止する禁止ステップとを実行させる（請求項１８）。
【００２５】
本発明のプログラムは、判断装置と通信可能に接続され、自身の属性を示すことのできる識別用インクが充填された識別用インクカートリッジが装着されるカートリッジ装着部と、カートリッジ装着部に装着された識別用インクカートリッジから供給される識別用インクを被記録媒体に吐出する識別用インク吐出手段と、カートリッジ装着部に装着された識別用インクカートリッジ又はその識別用インクカートリッジに充填された識別用インクから、その識別用インクの属性を示す属性情報を取得する属性情報取得手段と、印刷者から、その印刷者を特定するための印刷者特定情報を取得する印刷者特定情報取得手段とを有する画像形成装置を動作させるプログラムである。そして、コンピュータに、属性情報取得手段により取得した属性情報、及び、印刷者特定情報取得手段により取得した印刷者特定情報を判断装置に送信する送信ステップと、判断装置において印刷者特定情報と属性情報とに基づいて判断される、識別用インクを用いて印刷を行ってもよいか否かについての判断結果を受信する受信ステップと、受信ステップにおいて受信した判断結果が、識別用インクを用いる印刷を否定する判断であるときに、識別用インク吐出手段に識別用インクを吐出させることを禁止する禁止ステップとを実行させる（請求項１９）。
【００２６】
本発明のプログラムは、自身の属性を示すことのできる識別用インクが充填された識別用インクカートリッジが装着されるカートリッジ装着部と、カートリッジ装着部に装着された識別用インクカートリッジから供給される識別用インクを被記録媒体に吐出する識別用インク吐出手段と、カートリッジ装着部に装着された識別用インクカートリッジ又はその識別用インクカートリッジに充填された識別用インクから、その識別用インクの属性を示す属性情報を取得する属性情報取得手段と、印刷者から、その印刷者を特定するための印刷者特定情報を取得する印刷者特定情報取得手段とを有する画像形成装置を動作させるプログラムである。そして、コンピュータに、属性情報取得手段により取得された前記属性情報、及び、印刷者特定情報取得手段により取得された印刷者特定情報に基づいて、識別用インクを用いて印刷を行ってもよいか否かを判断する判断ステップと、判断ステップにおいて、識別用インクを用いる印刷を否定する判断をしたときに、識別用インク吐出手段に識別用インクを吐出させることを禁止する禁止ステップとを実行させる（請求項２０）。
【発明を実施するための最良の形態】
【００２７】
以下、本発明の好適な実施の形態について説明する。
【００２８】
図１は、本実施の形態に係る画像形成システムの構成を示す図である。図１に示すように、画像形成システム１は、１つのホスト２（判断装置）に複数のプリンタ３（画像形成装置）が通信可能に接続されることによって構成されている。各プリンタ３には、プリンタ３に、印刷を行う画像のデータや、後述する印刷モードを選択するための信号などを送信するためのＰＣ４が接続されている。なお、図１では、１つのプリンタ３に１つのＰＣ４が接続されているが、複数のプリンタ３に１つのＰＣ４が接続されていてもよい。
【００２９】
次に、ホスト２及びプリンタ３について詳細に説明する。図２は、図１のプリンタ３の外観を示す概略図である。図３は、図２のプリンタ３の蓋を開けたときの図である。図４は、図１のホスト２及びプリンタ３の接続関係を詳細に示したブロック図である。また、図４においては、図面を簡単にするため、図３では一体となっているＤＮＡインク用ヘッド１６とＤＮＡインクカートリッジ装着部１６ａとを互いに離隔させて図示している。
【００３０】
プリンタ３の構成について説明する。図２〜図４に示すように、プリンタ３は、蓋１１、指紋リーダ１２（印刷者特定情報取得手段）、キャリッジ１３、画像形成用ヘッド１５（画像形成用インク吐出手段）、ＤＮＡインク用ヘッド１６（識別用インク吐出手段）、ＩＣタグリーダ１７（属性情報取得手段、カートリッジＩＤ情報取得手段）、用紙搬送ローラ１８、制御装置１９及び送受信装置２０を備えている。
【００３１】
蓋１１は、プリンタ３の上部に設けられており、印刷者は蓋１１を開けて、後述する画像形成用ヘッド１５のカートリッジ装着部１５ａに画像形成用インクカートリッジ４１を装着し、ＤＮＡインク用ヘッド１６のカートリッジ装着部１６ａにＤＮＡインクカートリッジ４２（識別用インクカートリッジ）を装着する。
【００３２】
指紋リーダ１２は、蓋１１の前面右端部に設けられている。指紋リーダ１２は、印刷者が指紋リーダ１２に指を接触させたときに、その指紋のパターンデータ（印刷者特定情報）を読み取る。キャリッジ１３は、図２中左右方向に延びたガイド１４に沿って、図２中左右方向に往復移動する。
【００３３】
画像形成用ヘッド１５は、キャリッジ１３の前面に配置されており、その上面が４つの画像形成用インクカートリッジ４１を装着するカートリッジ装着１５ａとなっている。４つの画像形成用インクカートリッジ４１には、それぞれ、ブラック、イエロー、シアン、マゼンタのインクが充填されている。そして、画像形成用ヘッド１５は、キャリッジ１３とともに、図２中左右方向に往復移動しながら、その下面に形成された図示しないノズルから４つの画像形成用インクカートリッジ４１により供給された４色のインクを吐出する。
【００３４】
ＤＮＡインク用ヘッド１６は、キャリッジ１３の前面の、画像形成用ヘッド１５の図２中右側に設けられており、その上面がＤＮＡインクカートリッジ４２を装着するカートリッジ装着部１６ａとなっている。ＤＮＡインクカートリッジ４２には、ＤＮＡインクカートリッジ４２を使用する印刷者のＤＮＡを含む無色透明のＤＮＡインク（識別用インク）が充填されている。そして、ＤＮＡインク用ヘッド１６は、キャリッジ１３とともに図２中左右方向に移動しながら、その下面に形成された図示しないノズルからＤＮＡインクカートリッジ４２により供給されたＤＮＡインクを吐出する。
【００３５】
用紙搬送ローラ１８は、記録用紙Ｐを図２中手前方向である用紙搬送方向に搬送する。そして、画像形成用ヘッド１５から用紙搬送ローラ１８によって搬送される記録用紙Ｐに４色のインクが吐出されることによって、記録用紙Ｐに印刷が行われ、用紙搬送ローラ１８によって搬送される記録用紙Ｐの一部分にＤＮＡインク用ヘッド１６からＤＮＡインクが吐出されることにより、記録用紙ＰにＤＮＡインクが付着する。これにより、記録用紙Ｐに付着したＤＮＡインクを分析することで、印刷物の作成者を特定することができる。ここで、ＤＮＡインクは無色透明であるので、印刷物を一見しただけでは、記録用紙ＰにＤＮＡインクが付着しているか否かを判別することができなくなっている。また、ＤＮＡインクを記録用紙Ｐの一部分にのみ吐出するので、ＤＮＡインクを節約することができる。
【００３６】
ＩＣタグリーダ１７は、プリンタ３の右端部付近に配置されている。ここで、ＤＮＡインクカートリッジ４２は、その上面にＩＣタグ４２ａ（属性情報保持手段、カートリッジＩＤ情報保持手段）を有しており、ＩＣタグ４２ａには、ＤＮＡインクカートリッジ４２の各々に固有に割り当てられたシリアル番号（カートリッジＩＤ情報）、及び、ＤＮＡインクカートリッジ４２の中に充填されているＤＮＡインクに含まれるＤＮＡのパターンデータ（属性情報）が記録されている。カートリッジ装着部１６ａにＤＮＡインクカートリッジが装着されると、キャリッジ１３は図２中右方にＩＣタグ４２ａとＩＣタグリーダ１７とが対向する位置まで移動する。そして、ＩＣタグリーダ１７は、このＩＣタグ４２ａからシリアル番号及びＤＮＡのパターンデータを読み取る。このように、ＤＮＡインクカートリッジ４２はシリアル番号及びＤＮＡインクのパターンデータが記録されたＩＣタグ４２ａを有しているので、ＩＣタグリーダ１７によりＤＮＡインクカートリッジ４２のシリアル番号及びＤＮＡのパターンデータを容易に取得することができる。
【００３７】
制御装置１９は、装着判定部２１、インク切れ判定部２２、印刷指示部２３、印刷モード選択部２４及びドライバＩＣ２５を有している。装着判定部２１は、カートリッジ装着部１６ａにＤＮＡインクカートリッジ４２が装着されているか否かを判定する。インク切れ判定部２２は、カートリッジ装着部１６ａに装着されたＤＮＡインクカートリッジ４２がインク切れであるか否かを判定する。印刷指示部２３は、後述するように、ホスト２における判断結果及び印刷モード選択部２４により選択された印刷モードに基づいてドライバＩＣ２５に印刷指示を行う。印刷モード選択部２４は、ＰＣ４から入力された印刷者の指示に基づいて、ＤＮＡインクと画像形成インクの両方を用いて印刷を行うＤＮＡインク印刷モード、及び、画像形成用インクのみを用いて印刷を行う通常印刷モードのいずれかの印刷モードを選択する。ドライバＩＣ２５は、印刷指示部２３からの指示に基づいて、画像形成用ヘッド１５及びＤＮＡインク用ヘッド１６の動作を制御する。
【００３８】
送受信装置２０は、ホスト２の送受信装置３６に接続されている。これにより、ホスト２とプリンタ３との間で通信が行われる。
【００３９】
次に、ホスト２について説明する。ホスト２は、データ記憶部３１、判断部３２、データ更新部３３及び送受信装置３４を有している。なお、データ記憶部３１は、本発明の第１記憶手段と第２記憶手段とを兼ねるものである。
【００４０】
データ記憶部３１には、図５に示すように、ＤＮＡインクカートリッジ４２のシリアル番号と、シリアル番号に対応する、ＤＮＡインクカートリッジ４２に充填されているＤＮＡインクに含まれるＤＮＡのパターンデータ、ＤＮＡインクカートリッジ４２を使用する印刷者の指紋のパターンデータ、及びエンドフラグ（使用禁止情報）とが関連付けて記憶されている。ここで、ＤＮＡのパターンデータは、予め登録されたＤＮＡインクカートリッジ４２内に充填されているＤＮＡインクを分析することによって得られるデータである。指紋のパターンデータは、予め登録されたＤＮＡインクカートリッジ４２を使用することが許可された印刷者の指紋から得られるデータである。エンドフラグは、ＤＮＡインクカートリッジ４２が使用を禁止されているものか否かを示すものであり、エンドフラグが立っているシリアル番号のＤＮＡインクカートリッジ４２は印刷者に関わらず使用することはできない（例えば、図５の場合、シリアル番号が「００００１００１」のＤＮＡインクカートリッジ４２は使用することができない）。
【００４１】
判断部３２は、指紋リーダ１２及びＩＣタグリーダ１７により取得されたデータ、並びに、装着判定部２１における判定結果と、データ記憶部３１に記憶されたデータとに基づいてＤＮＡインクを用いて印刷を行ってもよいか否かを判断する。より詳細には、カートリッジ装着部１６ａにＤＮＡインクカートリッジ４２が装着されており、且つ、ＩＣタグリーダ１７によって読み取られたＤＮＡのパターンデータ、及び、指紋リーダ１２によって読み取られた指紋のパターンデータが、データ記憶部３１に記憶された、互いに対応するＤＮＡのパターンデータ及び指紋のパターンデータの両方とそれぞれ一致しており、且つ、データ記憶部３１の、ＩＣタグリーダ１７によって読み取られたシリアル番号に対応するエンドフラグが立っていないときにのみ、ＤＮＡインクを用いて印刷を行ってもよいと判断する。
【００４２】
これ以外のとき、具体的には、カートリッジ装着部１６ａにＤＮＡインクカートリッジ４２が装着されていないとき、データ記憶部のＩＣタグリーダ１７によって読み取られたシリアル番号に対応するエンドフラグが立っているとき、及び、ＩＣタグリーダ１７によって読み取られたＤＮＡのパターンデータ及び指紋リーダ１２によって読み取られた指紋のパターンデータが、データ記憶部３１に記憶された互いに対応するＤＮＡのパターンデータ及び指紋のパターンデータの少なくとも一方と一致していないときのいずれに該当する場合には、ＤＮＡインクを用いて印刷を行ってはいけないと判断する。
【００４３】
前述した印刷指示部２３においては、判断部３２によってＤＮＡインクを用いて印刷を行ってもよいと判断され、印刷モード選択部２４においてＤＮＡインク印刷モードが選択されたときに、ドライバＩＣ２３にＤＮＡインクと画像形成インクの両方を用いて印刷を行うことを指示し、判断部３２においてＤＮＡインクを用いて印刷を行ってはいけないと判断されたときには、画像形成用インクのみを用いて印刷を行うことを指示する（ＤＮＡインクを用いて印刷を行うことを禁止する）。つまり、印刷指示部２３が本発明の禁止手段を含んでいる。また、印刷指示部２３は、印刷モード選択部２４において通常印刷モードが選択されたときにも、画像形成用インクのみを用いて印刷を行うことを指示する。
【００４４】
ここで、プリンタ３においては、カートリッジ装着部１６ａにＤＮＡインクカートリッジ４２が装着されていないときは画像形成用インクのみを用いて印刷が行われるため、ＤＮＡインクカートリッジ４２を持っていない印刷者もプリンタ３により通常の印刷を行うことができる。
【００４５】
また、カートリッジ装着部１６ａにＤＮＡインクカートリッジ４２が装着されている状態でも印刷者が通常印刷モードを選択することにより画像形成用インクのみを用いた印刷が行われるので、必要なときにのみＤＮＡインクを用いた印刷を行うことができ、ＤＮＡインクの無駄な消費を抑えることができる。また、ＤＮＡインクを用いて印刷される印刷物と、画像形成用インクのみを用いて印刷された印刷物とを連続して作成するときに、印刷者はＤＮＡインクカートリッジ４２をその都度抜き差しする必要がない。
【００４６】
データ更新部３３は、データ記憶部３１の内容を更新する。具体的には、インク切れ判定部２２によりカートリッジ装着部１６ａに装着されたＤＮＡインクカートリッジ４２がインク切れであると判定されたときに、データ記憶部３１のＩＣタグリーダ１７によって読み取ったシリアル番号に対応するエンドフラグを立てる。これにより、ＤＮＡインクカートリッジ４２がインク切れとなった後には、そのＤＮＡインクカートリッジ４２は使用することができなくなる。したがって、インク切れとなったＤＮＡインクカートリッジ４２に、悪意の第３者によって異なるＤＮＡインクが充填され、印刷者がそのＤＮＡインクカートリッジ４２を誤って用いて印刷を行うことにより、作成された印刷物が他の人によって作成されたことになってしまうことなど、ＤＮＡインクカートリッジ４２の不正な使用を防止することができる。
【００４７】
また、データ更新部３３は、データ記憶部３１への新たなＤＮＡインクカートリッジ４２のデータの登録を行う。データの登録を行う方法としては、例えば、カートリッジ装着部１６ａに新たに追加するＤＮＡインクカートリッジ４２を装着し、ＩＣタグリーダ１７によりＩＣタグ４２ａからシリアル番号及びＤＮＡのパターンデータを読み取るとともに、指紋リーダ１２により印刷者の指紋のパターンデータを読み取る。そして、これら読み取ったデータをデータ記憶部３１に関連付けて記憶させる。このほか、データ更新部３５は、データ記憶部３１に記憶されたＤＮＡインクカートリッジ４２のデータの削除も行う。
【００４８】
送受信装置３４は、プリンタ３の送受信装置２０と接続されている。これにより、ホスト２とプリンタ３との間で通信が行われる。
【００４９】
次に、画像形成システム１において印刷が行われる過程について図６を用いて説明する。図６はこの過程を示すフローチャートである。図６に示す過程は、印刷者によりＰＣ４からプリンタ３に印刷指令が入力されたときに開始する。なお、図６では、以下に述べるステップＳ１０１〜Ｓ１０９（以下、単にＳ１０１、Ｓ１０９などとする）の処理がプリンタ３において行われ、Ｓ２０１〜Ｓ２０３の処理がホスト２において行われる。
【００５０】
印刷者によりＰＣ４から印刷指令が入力された後、図示しない画面の表示などの指示に従って、印刷者によりＰＣ４からＤＮＡインク印刷モード及び通常印刷モードのいずれを選択するかを指示する指令が入力される。この指令に従って、印刷モード選択部２４はＤＮＡインク印刷モード及び通常印刷モードのいずれかを選択する（Ｓ１０１）。そして、通常印刷モードが選択されたときには（Ｓ１０２：ＮＯ）、後述するＳ１０９に進む。
【００５１】
一方、ＤＮＡインク印刷モードが選択されたときには（Ｓ１０２）、装着判定部２１が、カートリッジ装着部１６ａにＤＮＡインクカートリッジ４２が装着されているか否かを判定する（Ｓ１０３）。カートリッジ装着部１６ａにＤＮＡインクカートリッジ４２が装着されていないときには（Ｓ１０３：ＮＯ）、後述するＳ１０９に進む。
【００５２】
カートリッジ装着部１６ａにＤＮＡインクカートリッジ４２が装着されているときには（Ｓ１０３：ＹＥＳ）、インク切れ判定部２２が、そのＤＮＡインクカートリッジ４２がインク切れか否かを判定する（Ｓ１０４）。
【００５３】
ＤＮＡインクカートリッジ４２がインク切れのときには（Ｓ１０４：ＹＥＳ）、ＩＣタグリーダ１７によりＩＣタグ４２ａからそのＤＮＡインクカートリッジ４２のシリアル番号が読み取られ（Ｓ１０５）、ホスト２に送信される。これを受けて、ホスト２においては、データ更新部３５が、データ記憶部３１におけるそのシリアル番号に対応するエンドフラグを立てる（データ記憶部３１を更新する）（Ｓ２０１）。その後、後述するＳ１０９に進む。
【００５４】
ＤＮＡインクカートリッジ４２がインク切れでないときには（Ｓ１０４：ＮＯ）、ＩＣタグリーダ１７によって、ＩＣタグ４２ａからシリアル番号及びＤＮＡのパターンデータが読み取られ（Ｓ１０６、属性情報取得ステップ）、続いて、指紋リーダ１２により印刷者の指紋のパターンデータが読み取られる（Ｓ１０７、印刷者特定情報取得ステップ）。Ｓ１０６、Ｓ１０７において読み取られたデータはホスト２に送信される（送信ステップ）。
【００５５】
ホスト２においては、受信したシリアル番号に対応するエンドフラグが立っているか否か、つまり、装着されたＤＮＡインクカートリッジ４２が使用を禁止されたものであるかが、判断部３２により判断される（Ｓ２０２、判断ステップ）。装着されたＤＮＡインクカートリッジが使用を禁止されたものである場合には（Ｓ２０２：ＹＥＳ）、ＤＮＡインクを用いた印刷を行ってはいけないと判断され、その判断結果がプリンタ３に送信される。つまり、プリンタ３が判断部３２による判断結果を受信する（受信ステップ）。そして、後述するＳ１０９に進む。
【００５６】
装着されＤＮＡインクカートリッジ４２が使用を禁止されたものでない場合には（Ｓ２０２：ＮＯ）、判断部３２により、受信したＤＮＡのパターンデータ及び指紋のパターンデータが、データ記憶部３１に記憶されたＤＮＡのパターンデータ及び指紋のパターンデータに照合されることにより個人認証が行われる（Ｓ２０３、判断ステップ）。
【００５７】
受信したＤＮＡのパターンデータ及び指紋のパターンデータが、データ記憶部３１に記憶された、互いに対応するＤＮＡのパターンデータ及び指紋のパターンデータの少なくとも一方と一致しない（個人認証ができない）場合には（Ｓ２０３：ＮＯ）、ＤＮＡインクを用いて印刷を行ってはいけないと判断され、その判断結果がプリンタ３に送信される。つまり、プリンタ３が判断部３２による判断結果を受信する（受信ステップ）。そして、後述するＳ１０９に進む。一方、受信したＤＮＡのパターンデータ及び指紋のパターンデータが、データ記憶部３１に記憶された、互いに対応するＤＮＡのパターンデータ及び指紋のパターンデータのいずれかに一致した（個人認証ができた）場合には（Ｓ２０３：ＹＥＳ）、ＤＮＡインクを用いて印刷を行ってもよいと判断され、その判断結果がプリンタ３に送信される。つまり、プリンタ３が判断部３２による判断結果を受信する（受信ステップ）。
【００５８】
これを受けて、プリンタ３においては、印刷指示部２３によってＤＮＡインクと画像形成用インクの両方を用いた印刷を行うことが指示され、この指示によりドライバＩＣ２５がＤＮＡインク用ヘッド１６を制御して、記録用紙Ｐの一部分にＤＮＡインクを吐出させ（Ｓ１０８）。続いて、画像形成用ヘッド１５を制御して、記録用紙Ｐに画像形成インクにより印刷を行わせる（Ｓ１０９）。
【００５９】
上述した方法で印刷を行った場合、ＤＮＡインクカートリッジ４２が使用を禁止されたものでなく、且つ、ＩＣタグリーダ１７により読み取られたＤＮＡのパターンデータ及び指紋リーダ１２により読み取られた指紋のパターンデータが、データ記憶部３１に記憶された、互いに対応するＤＮＡのパターンデータ及び指紋のパターンデータの両方とそれぞれ一致する場合にのみＤＮＡインクを用いた印刷が許可される。したがって、印刷物に付着したＤＮＡインクを分析することにより、印刷物の作成者を確実に特定することができる。
【００６０】
以上に説明した実施の形態によると、判断部３２が、ＩＣタグリーダ１７によって読み取ったＤＮＡインクのパターンデータ、及び、指紋リーダ１２によって読み取った印刷者の指紋のパターンデータを、データ記憶部３１に記憶されたＤＮＡのパターンデータ及び指紋のパターンデータと照合して、ＤＮＡインクを用いて印刷を行ってもよいか否かを判断するので、ＤＮＡインクを用いて不正に印刷が行われてしまうのを防止することができる。これにより、印刷物に付着したＤＮＡインクを分析することにより印刷物の印刷者を確実に特定することができる。
【００６１】
また、ＤＮＡインクカートリッジ４２ａがＩＣタグ４２ａを有しており、ＩＣタグリーダ１７によりＩＣタグ４２ａからＤＮＡのパターンデータを読み取ることができるので、ＤＮＡのパターンデータの読み取りが容易となる。
【００６２】
また、データ記憶部３１には、ＤＮＡインクカートリッジ４２のシリアル番号に対応してエンドフラグが記憶されており、カートリッジ装着部１６ａに装着されたＤＮＡインクカートリッジ４２がインク切れとなったときには、そのＤＮＡインクカートリッジ４２のシリアル番号に対応するエンドフラグが立つように構成されているので、一旦インク切れとなったＤＮＡインクカートリッジ４２に悪意の第３者が異なるＤＮＡインクを充填し、印刷者がその識別用インクを用いて印刷物を作成してしまうなど、インク切れとなった識別用インクカートリッジ４２が不正に使用されるのを確実に防止することができる。
【００６３】
また、ＤＮＡインクを用いて印刷を行う際、記録用紙Ｐの一部分にのみ識別用インクを吐出するので、識別用インクの使用量を節約することができる。
【００６４】
さらに、ＤＮＡインクが無色であるので、印刷が行われた記録用紙Ｐを、一見しただけでは識別用インクが吐出されているか否かを判別することができないものとすることができる。
【００６５】
また、カートリッジ装着部１６ａにＤＮＡインクカートリッジ４２が装着されていないときには、画像形成用インクのみを用いて印刷が行われるので、ＤＮＡインクカートリッジ４２を持っていない印刷者もプリンタ３により通常の印刷を行うことができる。
【００６６】
また、判断部３２がＤＮＡインクを用いて印刷を行ってもよいと判断した場合でも、印刷者はＤＮＡインク印刷モード及び通常印刷モードのいずれかを選択することができるので、必要なときにのみＤＮＡインクを用いた印刷を行うことができ、無駄なＤＮＡインクの消費を抑制することができる。また、同じ印刷者がＤＮＡインクを用いた印刷と画像形成用インクのみを用いた印刷とを続けて行うときに、その都度ＤＮＡインクカートリッジ４２の抜き差しを行う必要がない。
【００６７】
次に、本実施の形態に種々の変更を加えた変形例について説明する。ただし、本実施の形態と同様の構成を有するものには同じ符号を付し、適宜その説明を省略する。
【００６８】
一変形例（変形例１）では、ＤＮＡインクカートリッジ４２が、あるグループに属する人によって共用されるものであり、そのグループに属する人全員のＤＮＡを含むＤＮＡインクが中に充填されている場合に、図７（ａ）に示すように、データ記憶部３１に、ＤＮＡインクカートリッジ４２のシリアル番号と、シリアル番号に対応するＤＮＡインクカートリッジを使用するグループのグループコード、そのグループに属する人全員の指紋のパターンデータ及びエンドフラグとが関連付けて記憶されている。さらに、図７（ｂ）に示すように、グループコードと、グループコードに対応するグループに属する人全員のＤＮＡのパターンデータとが関連付けて記憶されている。また、ＩＣタグ４２ａには、ＤＮＡのパターンデータの代わりにＤＮＡインクカートリッジ４２を使用するグループのグループコードが記録されている。なお、変形例１においては、図７（ａ）のグループコード及び図７（ｂ）のＤＮＡのパターンデータが本発明の属性情報に相当する。
【００６９】
この場合には、実施の形態のＳ１０６（図６参照）において、ＩＣタグリーダ１７によりＩＣタグ４２ａからシリアル番号及びグループコードを読み取り、Ｓ２０３（図６参照）において、Ｓ１０７（図６参照）で読み取られた指紋のパターンデータが、データ記憶部３１の、Ｓ１０６で読み取ったグループコードに対応する指紋のパターンデータのいずれかに一致するか否かにより個人認証を行う。
【００７０】
また、この場合には、作成された印刷物に付着したＤＮＡインクを分析することによって、印刷物がどのグループに属する人によって作成されたものであるかを特定することができる。ここで、ＤＮＡインクカートリッジ４２には、そのグループに属するいずれかの人のＤＮＡが含まれているだけでもよいが、上述したように、ＤＮＡインクカートリッジ４２にそのグループに属する人全員のＤＮＡが含まれていることにより、ある人が複数のグループに属し、さらにその人が個人用のＤＮＡインクカートリッジを所持している場合でも、その人がそれぞれのグループに属する人として作成した印刷物、及び、その人個人が作成した印刷物では、記録用紙Ｐに付着しているＤＮＡインクの成分が互いに異なるので、印刷物の印刷者（もしくはその印刷者が属するグループ）を確実に特定することができる。
【００７１】
別の一変形例（変形例２）では、ＤＮＡインクカートリッジ４２のＩＣタグ４２ａにシリアル番号及びＤＮＡのパターンデータのほかに、そのＤＮＡインクカートリッジ４２が使用禁止のものであるか否かを示す情報（使用禁止情報）が記録されており、図８に示すように、プリンタ３がＩＣタグ４２ａのデータを書き換えるＩＣタグライタ５１（情報変更手段）をさらに有している。
【００７２】
変形例２においては、図９に示すように、実施の形態におけるＳ１０５及びＳ２０１（図６参照）に代わって、ＩＣタグライタ５１により、ＩＣタグ４２ａに記録された使用禁止情報が、ＤＮＡインクカートリッジ４２の使用を禁止することを示すものに書き換えられる（Ｓ３０１）。また、実施の形態のＳ１０６（図６参照）に代わって、ＩＣタグリーダ１７によりＩＣタグ４２ａからＤＮＡのパターンデータ及び使用禁止情報が読み取られる（Ｓ３０２）。さらに、実施の形態におけるＳ２０２（図６参照）に代わって、Ｓ３０２で読み取られた使用禁止情報に基づいて、装着されたＤＮＡインクカートリッジ４２が使用を禁止されたものであるか否かが判断される（Ｓ４０１）。
【００７３】
この場合でも、インク切れとなったＤＮＡインクカートリッジ４２に、悪意の第３者によって異なるＤＮＡインクが充填され、印刷者がそのＤＮＡインクカートリッジ４２を用いて印刷を行うことにより、作成された印刷物が他の人によって作成されたものとなってしまうことを防止することができる。また、この場合には、データ記憶部３１には、実施の形態の場合のようなエンドフラグは記憶されていない。なお、変形例２においては、データ記憶部３１が、本発明の第１記憶手段に相当する。また、ＩＣタグ４２ａが、本発明のインク識別情報保持手段、カートリッジＩＤ情報保持手段、及び、使用禁止情報保持手段を兼ねるものとなる。また、ＩＣタグリーダ１７が本発明のインク識別情報取得手段、カートリッジＩＤ情報取得手段及び使用禁止情報取得手段を兼ねるものとなる。
【００７４】
別の一変形例（変形例３）では、図１０に示すように、プリンタ３が、ＤＮＡインクカートリッジ１６内のＤＮＡインクを分析するＤＮＡインク分析部６１をさらに有している。ここで、ＤＮＡインク分析部６１は、例えば、ＤＮＡインク用ヘッド１６から吐出させたＤＮＡインクを採取し、又はパージを行うことによりＤＮＡインク用ヘッド１６から排出されたＤＮＡインクを採取し、採取したＤＮＡインクの分析を行う。
【００７５】
変形例３においては、図１１に示すように、実施の形態におけるＳ１０４〜Ｓ１０６、Ｓ２０１（図６参照）の処理を行わず、カートリッジ装着部１６ａにＤＮＡインクカートリッジ４２が装着されている場合には（Ｓ１０３：ＹＥＳ）、ＤＮＡインク分析部６１により、ＤＮＡインクを分析してＤＮＡのパターンデータを取得し（Ｓ５０１）、その後、実施の形態と同様のＳ１０７に進む。また、Ｓ１０７の後には、実施の形態におけるＳ２０２、Ｓ２０３（図６参照）の処理を行わず、Ｓ５０１においてＤＮＡインクの分析によって得られたＤＮＡのパターンデータ及びＳ１０７で読み取られた指紋のパターンデータを、データ記憶部３１に記憶されたＤＮＡのパターンデータ及び指紋のパターンデータと照合して個人認証を行う（Ｓ６０１）。
【００７６】
変形例３の場合には、ＤＮＡインクカートリッジ４２内のＤＮＡインクを直接分析するため、一旦インク切れとなったＤＮＡインクカートリッジ４２に悪意の第３者によって別のＤＮＡインクが充填されたとしても、印刷者が異なるＤＮＡインクを用いて印刷を行ってしまうことがない。したがって、変形例３においては、データ記憶部３１に実施の形態のようなエンドフラグを記憶しておかなくても、セキュリティの信頼性を高いものとすることができる。
【００７７】
本実施の形態では、ホスト２が、データ記憶部３１、判断部３２、及びデータ更新部３３を有していたが、これには限られず、これらの機能の一部をプリンタ３が有していてもよい。例えば、別の一変形例（変形例４）では、図１２に示すように、プリンタ３の制御装置１９が、実施の形態と同様の装着判定部２１、インク切れ判定部２２、印刷指示部２３、印刷モード選択部２４及びドライバＩＣ２５に加えて、データ記憶部７１、データ更新部７２及び判断部７３を有している。一方、ホスト２は、データ記憶部８１、判断部８２及びデータ更新部８３を有している。
【００７８】
データ記憶部７１には、シリアル番号及びこれに対応するエンドフラグが関連付けて記憶されている。つまり、データ記憶部７１が本発明の第２記憶手段に相当する。データ更新部７２は、インク切れ判定部２２において、装着されたＤＮＡインクカートリッジ４２がインク切れであると判定されたときには、データ記憶部７１に記憶されたそのＤＮＡインクカートリッジ４２に対応するシリアル番号に対応するエンドフラグを立てる。
【００７９】
一方、ホスト２のデータ記憶部８１には、ＤＮＡのパターンデータ及びこれに対応する指紋のパターンデータが関連付けて記憶されている。つまり、データ記憶部８１は本発明の第１記憶手段に相当する。
【００８０】
判断部７２は、カートリッジ装着部１６ａにＤＮＡインクカートリッジ４２が装着されていないとき、及び、データ記憶部７１の、カートリッジ装着部１６ａに装着されたＤＮＡインクカートリッジ４２のシリアル番号に対応するエンドフラグが立っているときに、ＤＮＡインクを用いて印刷を行ってはいけないと判断する。
【００８１】
判断部８２は、カートリッジ装着部１６ａにＤＮＡインクカートリッジ４２が装着され、且つ、データ記憶部７１の、装着されたＤＮＡインクカートリッジ４２のシリアル番号に対応するエンドフラグが立っていないときに、ＩＣタグリーダ１７によって読み取られたＤＮＡのパターンデータ及び指紋リーダ１２によって読み取られた指紋のパターンデータをデータ記憶部８１に記憶されたＤＮＡのパターンデータ及び指紋のパターンデータと照合し、ＩＣタグリーダ１７によって読み取られたＤＮＡのパターンデータ及び指紋リーダ１２によって読み取られた指紋のパターンデータが、データ記憶部８１に記憶された互いに対応するＤＮＡのパターンデータ及び指紋のパターンデータのいずれかと一致する場合に、ＤＮＡインクを用いて印刷を行ってもよいと判断し、これらのうちのいずれにも一致しない場合には、ＤＮＡインクを用いて印刷を行ってはいけないと判断する。つまり、判断部７２と判断部８２とを合わせたものが本発明の判断手段に相当する。印刷指示部２３は、判断部７２及び判断部８２の判断結果及び印刷モード選択部２４において選択された印刷モードに基づいて、実施の形態と同様、ドライバＩＣ２５に印刷指示を出す。なお、データ更新部８３は、データ記憶部８１へのＤＮＡインクカートリッジ４２のデータの登録及びデータ記憶部８１からのＤＮＡインクカートリッジ４２のデータの削除を行う。
【００８２】
変形例４においては、図１３に示すように、実施の形態におけるＳ２０１（図６参照）に代わって、データ更新部７２により、データ記憶部７１のＳ１０５で読み取られたシリアル番号に対応するエンドフラグを立てる（Ｓ７０１）。また、実施の形態におけるＳ２０２（図６参照）に代わって、判断部７４により、装着されたＤＮＡインクカートリッジ４２が使用を禁止されたものであるか否かの判断が行われる（Ｓ７０２）。
【００８３】
この場合には、セキュリティレベルの高い個人情報となるＤＮＡのパターンデータ及び指紋のパターンデータをホスト２において管理し、これよりもセキュリティレベルの低いインク切れとなったＤＮＡインクカートリッジ４２のシリアル番号及びエンドフラグをプリンタ３において管理することにより、個人情報を保護しつつ、ホスト２とプリンタ３との間の通信量を少なくすることができる。なお、変形例４においては、Ｓ７０２で、装着されたＤＮＡインクカートリッジ４２が使用を禁止されたものでないと判断された場合に（Ｓ７０２：ＮＯ）、Ｓ１０６、Ｓ１０７で読み取られたデータがホスト２に送信されることになるが、これが本発明の送信ステップに相当する。また、Ｓ２０３における判断結果はプリンタ３によって受信されることになるが、これが本発明の受信ステップに相当する。
【００８４】
別の一変形例（変形例５）では、図１４に示すように、実施の形態のようなホスト２（図１参照）がなく、プリンタ３の制御装置１１９が、実施の形態と同様の、装着判定部２１、インク切れ判定部２２、印刷指示部２３、印刷モード選択部２４及びドライバＩＣ２５に加えて、データ記憶部１３１、判断部１３２、データ更新部１３３を有している。データ記憶部１３１、判断部１３２及びデータ更新部１３３は、それぞれ、実施の形態のデータ記憶部３１、判断部３２、及びデータ更新部３３（図４参照）と同様の機能を有するものである。
【００８５】
変形例５の場合には、図１５に示すように、実施の形態におけるＳ２０１（図６参照）に代わって、データ更新部１３３により、データ記憶部１３１のＳ１０５で読み取られたシリアル番号に対応するエンドフラグを立てる（Ｓ９０１）。また、実施の形態におけるＳ２０２（図６参照）に代わって、判断部１３２により装着されたＤＮＡインクカートリッジ４２が使用を禁止されたものであるか否かが判断される（Ｓ９０２）。さらに、実施の形態のＳ２０３（図６参照）に代わって、判断部１３２により、Ｓ１０６で読み取られたＤＮＡのパターンデータ及びＳ１０７で読み取られた指紋のパターンデータを、データ記憶部１３１に記憶されたＤＮＡのパターンデータ及び指紋のパターンデータと照合して個人認証を行う（Ｓ９０３）。そして、この変形例５の場合には、プリンタ３を、ホストに接続することなく単体で実施の形態と同様の印刷を行うことができる。
【００８６】
また、本実施の形態では、ＩＣタグ４２ａにＤＮＡのパターンデータが記録されていたが、ＤＮＡのパターンデータの代わりに印刷者の指紋のパターンデータが記録されていてもよい（属性情報が、その属性情報が示す識別用インクを用いて印刷を行うことが許可された印刷者の印刷者特定情報に一致するように割り当てられていてもよい）。この場合には、印刷者が自身のＤＮＡインクカートリッジ４２を使用して印刷をしようとするとき、ＩＣタグリーダ１７によって読み取られる指紋のパターンデータと、指紋リーダ１２によって読み取られた指紋のパターンデータとが一致する。したがって、判断部３２はデータ記憶部３１に記憶されている情報を読み出すことなく、上記２つの指紋のパターンデータを直接照合し、両者が一致するか否かにより、ＤＮＡインクを用いて印刷を行ってもよいか否かを判断することができる。これにより、ＤＮＡインクを用いて印刷を行ってもよいか否かの判断をすばやく行うことができる。
【００８７】
また、以上の説明では、記録用紙ＰにＤＮＡインクを吐出していたが、ＤＮＡインクの代わりにナノ粒子インク、特色インクなどを吐出してもよい。ナノ粒子インクを用いる場合には、個人あるいはグループ毎に、異なるナノ粒子を含むナノ粒子インクを割り当て、ＩＣタグ４２ａに対応するナノ粒子の種類を示す情報を記録しておけば、記録用紙Ｐに付着したナノ粒子インクを分析することにより印刷物の印刷者を特定することができる。特色インクを用いる場合には、個人あるいはグループ毎に、色の異なる特色インクを割り当てておけば、特色インクを記録用紙Ｐに吐出して印刷を行った場合には、特色インクが吐出された部分を拡大すると、特色インクのインク滴のみが付着しているが、特色インクを用いずに印刷を行った場合には、この部分に特色インクと同等の色とするために、前述したブラック、イエロー、シアン、マゼンタの４種類のインク滴が付着しているので、両者を区別することができる。したがって、特色インクの色により印刷物の作成者を特定することができる。
【００８８】
また、本実施の形態では、ＤＮＡのパターンデータと指紋のパターンデータを用いたが、指紋のパターンデータの代わりに印刷者の静脈のパターンデータや、印刷者又はグループ毎に割り当てられたパスワードなどを用いてもよい。
【００８９】
また、本実施の形態では、データ記憶部３１にシリアル番号及びこれに対応するエンドフラグとが記憶されており、使用を禁止されたＤＮＡインクカートリッジ４２のシリアル番号に対応するエンドフラグが立っていたが、使用可能なＤＮＡインクカートリッジ４２のシリアル番号に対応するエンドフラグが立っていてもよい。この場合には、上記Ｓ２０２において、Ｓ１０６で読み取ったシリアル番号に対応するエンドフラグが立っていないときに装着されたＤＮＡインクカートリッジ４２が使用を禁止されたものであると判断する。
【００９０】
あるいは、エンドフラグを使用せず、データ記憶部３１に使用を禁止されたＤＮＡインクカートリッジ４２のシリアル番号の一覧が記憶されていてもよい。この場合には、上記２０２において、Ｓ１０６で読み取られたシリアル番号がデータ記憶部３１に記憶されたシリアル番号のいずれかに一致したときに、装着されたＤＮＡインクカートリッジ４２が使用を禁止されたものであると判断する。また、これとは逆に、データ記憶部３１に使用可能なＤＮＡインクカートリッジ４２のシリアル番号の一覧が記憶されていてもよい。この場合には、上記２０２において、Ｓ１０６で読み取られたシリアル番号がデータ記憶部３１に記憶されたシリアル番号のいずれにも一致しないときに、装着されたＤＮＡインクカートリッジ４２が使用を禁止されたものであると判断する。
【００９１】
また、本実施の形態では、データ記憶部３１が本発明の第１記憶手段と第２記憶手段とを兼ねており、データ記憶部３１にシリアル番号、ＤＮＡのパターンデータ、指紋のパターンデータ及びエンドフラグが関連付けて記憶されていたが、１つのデータ記憶部にＤＮＡのパターンデータと指紋のパターンデータとが関連付けて記憶されているとともに、これとは別のデータ記憶部にシリアル番号とこれに対応するエンドフラグとが記憶されていてもよい。
【００９２】
また、本実施の形態では、ＤＮＡインクを用いて印刷が行われないときには、常に画像形成用インクのみを用いて印刷を行ったが、カートリッジ装着部１６ａにＤＮＡインクカートリッジ４２が装着されていないとき（Ｓ１０３：ＮＯ）、ＤＮＡインクカートリッジ４２が使用禁止のものであるとき（Ｓ２０２：ＹＥＳ）及び個人認証ができなかったとき（Ｓ２０３：ＮＯ）には、画像形成用インクのみを用いて印刷を行うか否かを問い合わせるメッセージ等を表示させ、印刷者が画像形成用インクのみを用いて印刷を行うことを選択したときにのみ画像形成用インクを用いて印刷を行うように構成してもよい。
【００９３】
また、本実施の形態では、ＤＮＡインクが無色透明であったが、ＤＮＡインクが有色のものであり、ＤＮＡインクを画像の形成に用いてもよい。また、本実施の形態では、ＤＮＡインクを用いて印刷を行う際に、ＤＮＡインクと画像形成用インクの両方を用いて印刷を行ったが、ＤＮＡインクが有色の場合には、ＤＮＡインクのみを用いて印刷を行ってもよい。
【００９４】
また、本実施の形態では、ＤＮＡインクカートリッジ４２がＩＣタグ４２ａを有していたが、代わりに同様のデータが記録されたバーコードなどを有していてもよい。
【００９５】
また、カートリッジ装着部は、実施の形態のカートリッジ装着部１５ａ、１６ａのように、画像形成用ヘッド１５及びＤＮＡインク用ヘッド１６の上面に配置されるものには限られない。例えば、別の一変形例（変形例６）では、図１６に示すように、プリンタ１０３の前面に画像形成用インクカートリッジ１４１及びＤＮＡインクカートリッジ１４２を装着するカートリッジ装着部１１１、１１２が設けられており、装着された画像形成用インクカートリッジ１４１と画像形成用ヘッド１１５、及び、装着されたＤＮＡインクカートリッジ１４２とＤＮＡインク用ヘッド１１６とがそれぞれチューブ１１３を介して接続されるように構成されている。この場合、ＤＮＡインクカートリッジ１１６は、その側面がプリンタ１０３の右側の側壁の内面に対向するように配置されているとともに、この側面にＩＣタグ１４２ａが付されており、プリンタ１０３のＤＮＡインクカートリッジ１４２の上記側面と対向する面のＩＣタグ１４２ａと対向する位置にＩＣタグリーダ１１７が配置されている。
【図面の簡単な説明】
【００９６】
【図１】本発明の実施の形態に係る画像形成システムの概略構成図である。
【図２】図１のプリンタの概略斜視図である。
【図３】図２の蓋を開けたときの状態を示す図である。
【図４】図１のホスト及びプリンタの構成を示すブロック図である。
【図５】図４のデータ記憶部に記憶されているデータを示す図である。
【図６】画像形成システムの動作を示すフローチャートである。
【図７】変形例１においてデータ記憶部に記憶されているデータを示す図である。
【図８】変形例２の図４相当のブロック図である。
【図９】変形例２の図６相当のフローチャートである。
【図１０】変形例３の図４相当のブロック図である。
【図１１】変形例３の図６相当のフローチャートである。
【図１２】変形例４の図４相当のブロック図である。
【図１３】変形例４の図４相当のフローチャートである。
【図１４】変形例５の図４相当のブロック図である。
【図１５】変形例５の図６相当のフローチャートである。
【図１６】変形例６の図３相当の斜視図である。
【符号の説明】
【００９７】
１  画像形成システム
２  ホスト
３  プリンタ
１２  指紋リーダ
１５  画像形成用ヘッド
１６  ＤＮＡインク用ヘッド
１６ａ  カートリッジ装着部
１７  ＩＣタグリーダ
２１  装着判定部
２２  インク切れ判定部
２４  印刷モード指示部
２３  印刷指示部
３１  データ記憶部
３２  判断部
３３  データ更新部
４２  ＤＮＡインクカートリッジ
４２ａ  ＩＣタグ
５１  ＩＣタグライタ
６１  ＤＮＡインク採取部
６２  ＤＮＡインク分析部
７１  データ記憶部
７２  データ更新部
７３  印刷モード選択部
７４  判断部
７５  印刷指示部
８１  データ記憶部
８２  判断部
８４  印刷指示部
８５  データ更新部
１１２  カートリッジ装着部
１１７  ＩＣタグリーダ
１４２  ＤＮＡインクカートリッジ
１４２ａ  ＩＣタグ
【図１】
2008165579.tif 000003
【図２】
2008165579.tif 000004
【図３】
2008165579.tif 000005
【図４】
2008165579.tif 000006
【図５】
2008165579.tif 000007
【図６】
2008165579.tif 000008
【図７】
2008165579.tif 000009
【図８】
2008165579.tif 000010
【図９】
2008165579.tif 000011
【図１０】
2008165579.tif 000012
【図１１】
2008165579.tif 000013
【図１２】
2008165579.tif 000014
【図１３】
2008165579.tif 000015
【図１４】
2008165579.tif 000016
【図１５】
2008165579.tif 000017
【図１６】
2008165579.tif 000018